(57)【要約】【課題】外壁面材の屋外側の面部からのビス打ちをなくせ、それでいて、外壁面材の取付け状態をしっかりとしたものにでき、また、パネルフレームを建物に残したまま外壁面材を建物から施工容易に外せる外壁パネルを提供する。【解決手段】外壁面材２の背面側に波板３が配置され、外壁面材が波板の屋外側から見て山３ａとなる部分において接着剤のみで取り付けられ、波板の屋内側に外断熱用断熱材４が配置され、波板は屋外側から見て谷３ｂとなる部分においてパネルフレーム５にビス７で取り付けられている。パネルフレーム５はパネルフレーム本体８とビス打ち用フレーム９とからなり、ビス打ち用フレーム９はパネルフレーム本体８に対し上昇変位するとパネルフレーム本体８から外れるようになっている。【選択図】      図１
2007040032.tif 000002
【特許請求の範囲】
【請求項１】
外壁面材の背面側に波板が配置され、外壁面材は、該波板の、屋外側から見て山となる部分において、接着剤のみで取り付けられ、
該波板の屋内側に外断熱用の断熱材が配置され、波板が、屋外側から見て谷となる部分において、外断熱用断熱材を介してパネルフレームにビスで取り付けられていることを特徴とする外断熱外壁パネル。
【請求項２】
前記外断熱用断熱材の屋外側の面部が凹凸無しの平坦面からなり、前記波板が山谷を左右方向に繰り返すものからなり、該波板により外壁面材と外断熱用断熱材との間に空気を上下方向に通す通気部が形成されている請求項１に記載の外断熱外壁パネル。
【請求項３】
外壁面材の背面側に波板が配置され、外壁面材は、該波板の、屋外側から見て山となる部分において、接着剤のみで取り付けられ、
該波板が、屋外側から見て谷となる部分においてパネルフレームにビスで取り付けられていることを特徴とする外壁パネル。
【請求項４】
前記パネルフレームが、
パネルフレーム本体と、
該パネルフレーム本体に保持され、前記波板取付け用のビスが打たれるビス打ち用フレームと
からなり、
該ビス打ち用フレームは、パネルフレーム本体に対して上昇変位することでパネルフレーム本体による保持状態が解除されて屋外側に外れるようになされている請求項１乃至３のいずれか一に記載の外壁パネル。
【請求項５】
前記ビス打ち用フレームがパネルフレーム本体に対し、保持状態を維持したまま左右方向に滑り可能である請求項４に記載の外壁パネル。
【発明の詳細な説明】
【技術分野】
【０００１】
本発明は、外断熱外壁パネル等の外壁パネルに関する。
【背景技術】
【０００２】
外壁面材とパネルフレームとの間に発泡樹脂板などからなる外断熱用断熱材を介設した外断熱外壁パネルでは、従来より、外壁面材は、その屋外側の面部から外断熱用断熱材を介してパネルフレームにビス打ちをすることによりパネルフレームに取り付けられていた。
【発明の開示】
【発明が解決しようとする課題】
【０００３】
しかしながら、そのような取付け方法では、外壁面材の屋外側の面部にビス打ちに伴うキズを生じ、それを隠す処理をしたとしても、ビス打ち部分が経年的に現れ出し、外壁面を見苦しいものにしてしまうおそれがある。
【０００４】
また、外断熱外壁パネルでは、外壁面材と外断熱用断熱材との間に通気部を設ける場合に、外断熱用断熱材として、屋外側の面部を左右方向に山谷を繰り返す凹凸面に成形された発泡樹脂断熱板を用いることが行われているが、それでは外断熱用断熱板のコストが高くつくという問題もある。
【０００５】
更に、従来の外断熱外壁パネルでは、建方を終えた後に、パネルフレームを残したまま外壁面材を建物から取り外すというのが容易ではないという問題もある。
【０００６】
更にまた、外壁面材をビスでパネルフレームに固定する構造では、地震等によって外壁面材に割れを生じさせるおそれがあるという問題がある。
【０００７】
本発明は、上記のような問題点に鑑み、外壁面材の屋外側の面部からのビス打ちをなくすことができ、それでいて、パネルフレームに対する外壁面材の取付け状態をしっかりとしたものにすることができ、また、外壁面材と外断熱用断熱材との間に通気部を備えるものでありながらそれをコスト的に有利に実現することができ、更に、パネルフレームを建物に残したまま外壁面材を建物から施工容易に取り外すことができ、また、地震等による外壁面材の割れを防ぐことができる外断熱等の外壁パネルを提供することを課題とする。
【課題を解決するための手段】
【０００８】
上記の課題は、外壁面材の背面側に波板が配置され、外壁面材は、該波板の、屋外側から見て山となる部分において、接着剤のみで取り付けられ、
該波板の屋内側に外断熱用の断熱材が配置され、波板が、屋外側から見て谷となる部分において、外断熱用断熱材を介してパネルフレームにビスで取り付けられていることを特徴とする外断熱外壁パネルによって解決される。
【０００９】
この外断熱外壁パネルでは、外壁面材の取付けに波板が用いられ、外壁面材が波板の屋外側から見て山となる部分において接着剤のみで取り付けられると共に、波板が屋外側から見て谷となる部分においてパネルフレームにビスで取り付けられているので、外壁面材の屋外側の面部からのビス打ちをなくすことができ、それでいて、波板は、そのリブ作用によって面外曲げ強度が大きく、また、外壁面材との接着剤接合面積も広く確保することができ、更に、波板は屋外側から見て谷となる部分においてパネルフレームにビスで取り付けられていて該ビスが波板と外壁面材との接着剤による接合の妨げにならず、また更に、波板もビスでパネルフレームにしっかりと取り付けることができることにより、パネルフレームに対する外壁面材の取付け状態をしっかりとしたものにすることができる。
【００１０】
なお、外壁面材の背面側に波板が配置され、外壁面材は、該波板の、屋外側から見て山となる部分において、接着剤のみで取り付けられ、
該波板が、屋外側から見て谷となる部分においてパネルフレームにビスで取り付けられていることを特徴とする外壁パネルによっても、上記と同様の作用効果が奏される。即ち、外断熱用断熱材は省略されてもよい。
【００１１】
上記の外断熱外壁パネルにおいて、外断熱用断熱材の屋外側の面部が凹凸無しの平坦面からなり、前記波板が山谷を左右方向に繰り返すものからなり、該波板により外壁面材と外断熱用断熱材との間に空気を上下方向に通す通気部が形成されているのもよい。
【００１２】
この場合は、外断熱外壁パネルにおいて、外壁面材と外断熱用断熱材との間に通気部が確保されるものでありながら、外断熱用断熱材から通気部形成のための凹凸をなくすことができて外断熱用断熱材のコストを低く抑えることができ、しかも、パネルフレームへの外壁面材の取付けに上記のような重要な役割を果す波板を、通気部の形成に併用しているものであり、波板は通気部形成のための専用品という位置付けではないので、通気部形成に要するコストを低く抑えることができる。
【００１３】
また、上記の外壁パネルにおいて、パネルフレームが、
パネルフレーム本体と、
該パネルフレーム本体に保持され、前記波板取付け用のビスが打たれるビス打ち用フレームと
からなり、
該ビス打ち用フレームは、パネルフレーム本体に対して上昇変位することでパネルフレーム本体による保持状態が解除されて屋外側に外れるようになされているとよい。
【００１４】
この外壁パネルでは、外壁面材の取外しを、該外壁面材と一体化されているビス打ち用フレームをパネルフレーム本体に対して上昇変位させることで行うことができ、取外しのために接着剤接合部分の剥がし作業を行ったりビス抜き作業を行う必要がなく、パネルフレーム本体を建物に残したまま、外壁面材を屋外側に施工容易に取り外すことができる。
【００１５】
また、ビス打ち用フレームがパネルフレーム本体に対し、保持状態を維持したまま左右方向に滑り可能である場合は、地震等によって外壁面材がパネルフレームの動きに拘束されることがなく、外壁面材に割れを生じさせるのを防ぐことができる。
【発明の効果】
【００１６】
本発明は、以上のとおりのものであるから、外壁面材の屋外側の面部からのビス打ちをなくすことができ、それでいて、パネルフレームに対する外壁面材の取付け状態をしっかりとしたものにすることができる。また、外壁面材と外断熱用断熱材との間に通気部を備えるものでありながらそれをコスト的に有利に実現することができる。更に、パネルフレームを建物に残したまま外壁面材を建物から施工容易に取り外すことができる。更にまた、地震等による外壁面材の割れを防ぐことができる。
【発明を実施するための最良の形態】
【００１７】
次に、本発明の実施最良形態を図面に基づいて説明する。
【００１８】
図１及び図２に示す実施形態の外断熱外壁パネル１において、２は外壁面材、３は波板、４は外断熱用断熱材、５はパネルフレームであり、波板３は、山谷を左右方向に繰り返すデッキプレート状の波板鋼板からなっていて、外壁面材２の背面側に配置され、外壁面材２は、波板３の、屋外側から見て山となる部分３ａ…の面部において接着剤のみで取り付けられている。
【００１９】
そして、外断熱用の断熱材４は、発泡樹脂板などからなっていて、波板３の屋内側に配置され、屋外側の面部は平坦で、波板３は、屋外側から見て谷となる部分３ｂ…において、外断熱用断熱材４を介してパネルフレーム５にビス７…で取り付けられている。
【００２０】
こうしてまた、外壁面材２と外断熱用断熱材４との間には、山谷を左右方向に繰り返す波板３によって、上下方向に延びる通気部６…が形成され、外壁面材２と外断熱用断熱材４との間が温度差上昇作用等によって通気されるようになされている。
【００２１】
そして、上記のパネルフレーム５は、建物の構造材としての役割を果たすパネルフレーム本体８と、波板３を取り付けるビス打ち用フレーム９…とで構成され、ビス打ち用フレーム９…は、パネルフレーム本体８の上下及び高さ方向中間のそれぞれの横枠８ａ…の上面部に沿うように左右方向に向けられて配置されている。そして、パネルフレーム本体８の横枠８ａ…には、ボルト軸で形成された複数のピン１０…が左右方向に所定の間隔をおいて立ち上げられ、また、ビス打ち用フレーム９は、アングル材からなって、一方の板部に、ピン１０を通す左右方向に延びる長孔１１…が形成され、該長孔１１…にピン１０…が左右方向に滑り可能で抜出可能に差し込まれて、パネルフレーム本体８の横枠８ａ…に保持されており、該ビス打ち用フレーム９のもう一方の立ち上がり板部に波板３側からのビス７…が打ち込まれて波板３が取り付けられている。
【００２２】
上記の外断熱外壁パネルの製作は、パネルフレーム本体８を寝かせた状態にセットし、図３（イ）に示すように、ビス打ち用フレーム９をパネルフレーム本体８にピン差し状態にして組み付ける。なお、ピン１０…に図示しないナットを螺合し、ビス打ち用フレーム９をパネルフレーム本体８にしっかりとした固定状態に仮留めしておくとよい。
【００２３】
次いで、図３（ロ）に示すようにパネルフレーム本体８の上に外断熱用断熱材４を敷くと共に、図４（ハ）に示すように外断熱用断熱材４の上に波板３を重ね、波板３の上面から見て谷となる部分において、上方より、ビス７…を、外断熱用断熱材４を貫通するようにパネルフレーム５のビス打ち用フレーム９に打つ。
【００２４】
しかる後、波板３の、上面から見て山となる部分に接着剤を塗布し、図４（ニ）に示すように、その上に外壁面材２を重ね、外壁面材２と波板３とを接着剤のみで接合する。なお、１２はピース物のＴ形受け金物で、パネルフレーム本体８に取り付けられて、外断熱用断熱材４、波板３及び外壁面材２の下端を位置決めして支承するものである。ピン１０…にナットを螺合してビス打ち用フレーム９をパネルフレーム本体８に固定状態に仮留めした場合は、ナットの取外しを行っておく。
【００２５】
上記の外断熱外壁パネル１では、外壁面材２の屋外側の面部からのビス打ちをなくすことができて、外壁面材２の屋外側の面部を傷付けることがなく、それでいて、波板３はそのリブ作用によって面外曲げ強度が大きいこと、波板３の採用により外壁面材２との接着剤接合面積を広く確保できること、波板３は屋外側から見て谷となる部分においてパネルフレームにビス７…で取り付けられていて該ビス７…が波板３と外壁面材２との接着剤による接合の妨げにならないこと、及び、波板３もビス７…でパネルフレーム５にしっかりと取り付けることができることによって、パネルフレーム５に対する外壁面材２の取付け状態をしっかりとしたものにすることができる。
【００２６】
上記の外断熱外壁パネル１を用いて形成された建物では、図５に示すように、地震時の水平力でパネルフレーム５にゆがみを生じても、ピン１０…が長孔１１…内を左右方向に相対移動してビス打ち用フレーム９がパネルフレーム本体８に対して左右に滑ることにより、パネルフレーム本体８から外壁面材２に応力が伝わらず、外壁面材２に割れを生じるのが防がれる。
【００２７】
そして、建方後に外壁面材２の取外しを要する場合には、図６に示すように、外壁面材２、波板３、外断熱用断熱材４及びビス打ち用フレーム９…を一体物として上昇変位させれば、パネルフレーム本体８のピン１０…がビス打ち用フレーム９…の長孔１１…から抜出され、パネルフレーム本体８を建物に残したまま、外壁面材２を、接着剤剥がしをせず、また、ビス抜きもせずに、ケンドン式にて施工容易に建物から取り外すことができる。
【００２８】
以上に、本発明の実施形態を示したが、本発明はこれに限られるものではなく、発明思想を逸脱しない範囲で各種の変更が可能である。例えば、上記の実施形態では、外断熱外壁パネルに適用した場合を示したが、外断熱用断熱材が省略された外壁パネルに適用することも可能であり、その場合であっても、外壁面材の屋外側の面部からのビス打ちをなくしながら、パネルフレームに対する外壁面材の取付け状態をしっかりとしたものにすることができるし、パネルフレームを建物に残したまま外壁面材を建物から施工容易に取り外すことができるし、地震等による外壁面材の割れを防ぐことができる。また、外壁パネルは、非耐力パネルであるか、耐力パネルであるかを問わない。
【図面の簡単な説明】
【００２９】
【図１】実施形態の外断熱外壁パネルを示す断面斜視図である。
【図２】図（イ）は同断面平面図、図（ロ）は背面図、図（ハ）は断面側面図である。
【図３】図（イ）及び図（ロ）は、図４（ハ）（ニ）とともに外断熱外壁パネルの製作方法を順次に示す一部断面底面図、断面正面図である。
【図４】図（ハ）及び図（ニ）は、図３（イ）（ロ）とともに外断熱外壁パネルの製作方法を順次に示す断面正面図である。
【図５】図（イ）〜図（ハ）は地震時の挙動を示す正面図である。
【図６】外壁面材の取外し方法を示す断面側面図である。
【符号の説明】
【００３０】
１…外断熱外壁パネル
２…外壁面材
３…波板
３ａ…山
３ｂ…谷
４…外断熱用断熱材
５…パネルフレーム
６…通気部
７…ビス
８…パネルフレーム本体
９…ビス打ち用フレーム
１０…ピン
１１…長孔
【図１】
2007040032.tif 000003
【図２】
2007040032.tif 000004
【図３】
2007040032.tif 000005
【図４】
2007040032.tif 000006
【図５】
2007040032.tif 000007
【図６】
2007040032.tif 000008